(57)【要約】【課題】ハウジングへの組付け時にヒンジを曲げ易くして、容易に組付けることができる電線カバーを提供する。【解決手段】コネクタ２０のハウジング２１の後面２１ａ側に装着されて該ハウジング２１の後面２１ａから引き出された電線３０を覆う電線カバー１０であって、ハウジング２１の後面２１ａ側に装着される本体カバー１１と、この本体カバー１１と合体して筒状となって電線３０を覆う蓋カバー１４と、本体カバー１１と蓋カバー１４の間を連結し、本体カバー１１と蓋カバー１４の双方の根元部１８ａよりも中央部１８ｂが薄肉に形成されているヒンジ１８と、を有する。【選択図】図２
2020149938.tif 000002
【特許請求の範囲】
【請求項１】
コネクタのハウジングの後面側に装着されて該ハウジングの後面から引き出された電線を覆う電線カバーであって、
前記ハウジングの後面側に装着される本体カバーと、
前記本体カバーと合体して筒状となって前記電線を覆う蓋カバーと、
前記本体カバーと前記蓋カバーの間を連結し、前記本体カバーと前記蓋カバーの双方の根元部よりも中央部が薄肉に形成されているヒンジと、を有することを特徴とする電線カバー。
【請求項２】
請求項１記載の電線カバーであって、
前記ヒンジは、前記中央部が前記本体カバーと前記蓋カバー間を合体させる曲げ方向に湾曲していることを特徴とする電線カバー。
【請求項３】
請求項１記載の電線カバーであって、
前記ヒンジは、前記中央部が前記本体カバーと前記蓋カバー間を合体させる曲げ方向で内周側となる内面が円弧面に、外周側となる外面がストレート面に形成されていることを特徴とする電線カバー。
【発明の詳細な説明】
【技術分野】
【０００１】
本発明は、コネクタの電線カバーに関する。
【背景技術】
【０００２】
この種の電線カバーとして、特許文献１に開示されたものがある。この電線カバー１は、図７、図８に示すように、防水コネクタの雌ハウジング８の後面側に装着されるものであり、本体カバー２と蓋カバー５とに二つ割りされ、ヒンジ７により開閉可能に連結されるものである。
【０００３】
本体カバー２の取付孔には左右一対の保持板３が突設され、この各保持板３の嵌合溝３ａに雌ハウジング８の取付壁９の左右一対の突片９ａを嵌めることで、本体カバー２が雌ハウジング８に仮保持される。そして、蓋カバー５をヒンジ７から本体カバー２の上面に向けて折り返して、蓋カバー５のロック片６のロック孔６ａに本体カバー２のロック突部４を嵌めることで、両カバー２，５が合体状態にロックされるようになっている。
【先行技術文献】
【特許文献】
【０００４】
【特許文献１】特開２００４−１２７８１３号公報
【発明の概要】
【発明が解決しようとする課題】
【０００５】
しかしながら、前記従来の電線カバー１では、ヒンジ７が全域で同じ肉厚で形成されているため、ヒンジ７を折り曲げた時にヒンジ７の中央部分で曲がらずにヒンジ７の付け根に近い部分で曲がる可能性があり、両カバー２，５同士の組付けがし難くなる。
【０００６】
そこで、本発明は、前記した課題を解決すべくなされたものであり、ハウジングへの組付け時にヒンジを曲げ易くして、容易に組付けることができる電線カバーを提供することを目的とする。
【課題を解決するための手段】
【０００７】
本発明は、コネクタのハウジングの後面側に装着されて該ハウジングの後面から引き出された電線を覆う電線カバーであって、前記ハウジングの後面側に装着される本体カバーと、前記本体カバーと合体して筒状となって前記電線を覆う蓋カバーと、前記本体カバーと前記蓋カバーの間を連結し、前記本体カバーと前記蓋カバーの双方の根元部よりも中央部が薄肉に形成されているヒンジと、を有することを特徴とする。
【発明の効果】
【０００８】
本発明によれば、ハウジングへの組付け時にヒンジを曲げ易くして、容易に組付けることができる。
【図面の簡単な説明】
【０００９】
【図１】本発明の一実施形態の電線カバーを示す斜視図である。
【図２】上記電線カバーの本体カバーをコネクタに取り付けた状態を示す斜視図である。
【図３】上記電線カバーの本体カバーをコネクタに取り付けた状態を示す正面図である。
【図４】（ａ）は上記本体カバーと蓋カバーを繋ぐヒンジの拡大正面図、（ｂ）は他の実施態様のヒンジの拡大正面図である。
【図５】上記電線カバーをコネクタに取り付けた状態を示す側面図である。
【図６】図５中Ｘ−Ｘ線に沿う断面図である。
【図７】従来の電線カバーの正面図である。
【図８】上記従来の電線カバーがコネクタに仮保持された状態を示す平面図である。
【発明を実施するための形態】
【００１０】
以下、本発明の一実施形態を図面に基づいて説明する。
【００１１】
図１は本発明の一実施形態の電線カバーを示す斜視図、図２は電線カバーの本体カバーをコネクタに取り付けた状態を示す斜視図、図３は本体カバーをコネクタに取り付けた状態を示す正面図、図４（ａ）は本体カバーと蓋カバー間を連結するヒンジの拡大正面図、図５は電線カバーをコネクタに取り付けた状態を示す側面図、図６は図５中Ｘ−Ｘ線に沿う断面図である。
【００１２】
図１〜図３、図６に示すように、電線カバー１０は、雌コネクタ（コネクタ）２０の雌ハウジング（ハウジング）２１の後面（背面）２１ａ側に装着され、後面２０ａから引き出された電線３０を覆うものであり、雌ハウジング２１の両側面２１ｂ，２１ｂの凹状のカバー係止溝２２，２２に取り付けられる合成樹脂製で略半円筒状の本体カバー１１と、この本体カバー１１と合体して筒状となった状態で雌ハウジング２１の下面２１ｃのカバー取付突起２３に取り付けられ、電線３０が貫通したコルゲートチューブ３２の前端側を覆う合成樹脂製で略半円筒状の蓋カバー１４と、本体カバー１１と蓋カバー１４の間を連結する合成樹脂製のヒンジ１８と、を有している。
【００１３】
本体カバー１１の前側には、一対の取付部１２，１２が平行に垂直に延びるように一体形成されている。この各取付部１２の内側には、雌ハウジング２１の凹状のカバー係止溝２２に嵌め込まれるハウジング係止部としての凸状のハウジング係止突起１２ａが設けられている。また、本体カバー１１の内面には、コルゲートチューブ３２の蛇腹状の凸部３２ａに係止される凹部（図示省略）が設けられている。さらに、本体カバー１１のヒンジ１８と反対側の端部には、ロック穴１３が設けられている。
【００１４】
図５に示すように、蓋カバー１４の内面の前側には、雌ハウジング２１のカバー取付突起２３に嵌め込まれるハウジング取付部としての凹状のハウジング取付溝１５が設けられている。また、蓋カバー１４の内面には、コルゲートチューブ３２の蛇腹状の凸部３２ａに係止される凹部（図示省略）が設けられている。さらに、図１に示すように、蓋カバー１４のヒンジ１８と反対側の端部には、ロック穴１３にロックされるロック突起部１６が設けられている。さらに、図３、図６に示すように、蓋カバー１４のヒンジ１８側の端部には、本体カバー１１のロック突部１３ａにロックされるロックアーム１７の突起部１７ａが設けられている。尚、本体カバー１１と蓋カバー１４が合体して筒状になったときに、本体カバー１１の外側にある取付部１２の下端側に形成された切欠き部１２ｂに、蓋カバー１４の外側の前部に形成された段差部１５ａが嵌め込まれるようになっている。
【００１５】
図４（ａ）に示すように、ヒンジ１８は、本体カバー１１と蓋カバー１４の相対向する端部に一体形成されている。また、ヒンジ１８は、本体カバー１１と蓋カバー１４の双方の根本部１８ａ，１８ａよりも中央部１８ｂが薄肉に形成されていて、全体が上方に湾曲する円弧面状に形成されている。即ち、ヒンジ１８は、中央部１８ｂが本体カバー１１と蓋カバー１４間を合体させる曲げ方向に湾曲している。
【００１６】
図６に示すように、雌コネクタ２０の雌ハウジング２１の両側面２１ｂ，２１ｂの後端側には、カバー係止部としての凹状のカバー係止溝２２，２２が形成されている。また、図５に示すように、雌ハウジング２１の下面２１ｃの後端には、カバー取付部としてのカバー取付突起２３が設けられている。
【００１７】
図２、図５、図６に示すように、雌コネクタ２０の雌ハウジング２１は、電線３０に接続された雌端子（端子）３１が収容される２つの端子収容室（図示省略）を有している。また、雌ハウジング２１の中央には、図示しない相手方の雄コネクタの雄ハウジングが嵌合される前面側と上面側が開口したフード部２４と、前側に嵌め込まれ、図示しない相手方側の雄端子が差し込まれる端子挿入孔２５ａと雌端子３１を係止するランス２５ｂとを有する筒状のキャップ（サブハウジング）２５と、を備えている。
【００１８】
さらに、図２に示すように、雌コネクタ２０の雌ハウジング２１の天井面側のフード部２４内には、相手方の雄コネクタとの間を嵌合状態にロックするためのロックアーム２６が設けられている。このロックアーム２６の操作端２６ａは、フード部２４の上面開口の後側に設けられている。
【００１９】
以上実施形態の電線カバー１０によれば、本体カバー１１と蓋カバー１４を繋ぐヒンジ１８が真直ぐではなく、円弧状になっているため、本体カバー１１に対して蓋カバー１４を回転させて閉じて組付ける際に、ヒンジ１８の中央部１８ｂの薄肉部分で折り曲がるので、本体カバー１１と蓋カバー１４の組付け性が容易となる。また、ヒンジ１８が本体カバー１１と蓋カバー１４の双方の根本部１８ａ，１８ａから中央部１８ｂに向かって薄肉になっているため、折曲げが更に容易になり、電線カバー１０の組付け性が向上する。
【００２０】
図４（ｂ）は本体カバー１１と蓋カバー１４間を連結する他の実施態様のヒンジ１８′の拡大正面図である。
【００２１】
このヒンジ１８′は、本体カバー１１と蓋カバー１４の双方の根本部１８ａ，１８ａよりも中央部１８ｂが薄肉に形成されている。さらに、ヒンジ１８′は、中央部１８ｂが本体カバー１１と蓋カバー１４間を合体させる曲げ方向で内周側となる内面が円弧面１８ｃに、外周側となる外面がストレート面１８ｄに形成されている。
【００２２】
この他の実施形態のヒンジ１８′も、図４（ａ）に示すヒンジ１８と同様に、中央部１８ｂの曲げ方向で内周側となる内面が上方に湾曲する円弧面１８ｃになっているため、図４（ａ）に示すヒンジ１８の場合と同様の作用・効果を奏する。
【符号の説明】
【００２３】
１０  電線カバー
１１  本体カバー
１４  蓋カバー
１８，１８′  ヒンジ
１８ａ  根元部
１８ｂ  中央部
１８ｃ  円弧面（内面）
１８ｄ  ストレート面（外面）
２０  雌コネクタ（コネクタ）
２１  雌ハウジング（ハウジング）
２１ａ  後面
３０  電線
【図１】
2020149938.tif 000003
【図２】
2020149938.tif 000004
【図３】
2020149938.tif 000005
【図４】
2020149938.tif 000006
【図５】
2020149938.tif 000007
【図６】
2020149938.tif 000008
【図７】
2020149938.tif 000009
【図８】
2020149938.tif 000010